(57)【要約】【課題】  作業を効率的に行える移動式台車装置であって、高層の建物にも使用できるようにする。【解決手段】  本発明に係る移動式足場装置１は、取り付け部６によって建物Ａに取り付けられている。この足場装置１は、建物Ａの外壁Ａ１に沿って移動可能に構成された第１足場部２及び第２足場部３を備えており、作業者はそれぞれの足場部２，３に乗った状態で各足場部２，３を自由に移動させながら効率的に作業を行う。作業が完了して作業者が足場部２，３から降りれば、取り付け部６による固定を解除し、足場装置１を上の階に取り付ける。そして、その階でも作業者は同様の作業を行う。本足場装置は、移動式足場装置１の取り付け位置を順次変更することができるので、高層の建物に対しても使用することができる。【選択図】  図１
2007056478.tif 000002
【特許請求の範囲】
【請求項１】
足場部が建造物の外壁に沿って移動できるように構成されてなる移動式足場装置において、
作業者のための第１足場部及び第２足場部と、
前記第１足場部を移動自在に支持する第１レール部と、
前記第２足場部が前記第１足場部よりも低い位置で該第１足場部の位置とは無関係に移動できるように該第２足場部を支持する第２レール部と、
前記第１レール部及び前記第２レール部を支持すると共に、これらのレール部が建造物の外壁に沿って略水平に延設されるように該建造物に着脱自在に取り付けられる取り付け部と、
を備えたことを特徴とする移動式足場装置。
【請求項２】
前記第１足場部は、該足場部に乗った作業者が前記取り付け部よりも高い位置に対して作業を行えるような高さに支持され、
前記第２足場部は、該足場部に乗った作業者が前記取り付け部よりも低い位置に対して作業を行えるような高さに支持された、
ことを特徴とする請求項１に記載の移動式足場装置。
【請求項３】
前記第１足場部は、該足場部の少なくとも一部が、前記取り付け部よりも高い位置を移動できるように支持され、
前記第２足場部は、該足場部の少なくとも一部が、前記取り付け部よりも低い位置を移動できるように支持された、
ことを特徴とする請求項２に記載の移動式足場装置。
【請求項４】
前記第１レール部を上側に支持すると共に前記第２レール部を下側に支持するレール支持部が、前記取り付け部に固定され、
前記第１足場部は、前記第１レール部に載置された状態で移動自在に支持され、
前記第２足場部は、前記第２レール部に吊り下げられた状態で移動自在に支持された、
ことを特徴とする請求項１乃至３のいずれか1項に記載の移動式足場装置。
【請求項５】
前記レール支持部には、作業者が歩行するための足場板が、前記第１レール部に沿うと共に前記レール支持部と前記第１足場部との間に配置されるように固定された、
ことを特徴とする請求項４に記載の移動式足場装置。
【請求項６】
建造物に対する前記取り付け部の高さを調整する高さ調整装置を、該取り付け部と建造物との間に介装した、
ことを特徴とする請求項４又は５に記載の移動式足場装置。
【請求項７】
前記第１レール部及び前記第２レール部の両方のレール部を、建造物の外壁に沿った状態のまま建造物に近付けたり建造物から遠ざけたりして各レール部と建造物との間の離間距離を調整する離間距離調整装置を、前記レール支持部に取り付けた、
ことを特徴とする請求項４乃至６のいずれか１項に記載の移動式足場装置。
【請求項８】
前記離間距離調整装置の操作部を建造物に近接する位置に設けた、
ことを特徴とする請求項７に記載の移動式足場装置。
【発明の詳細な説明】
【技術分野】
【０００１】
本発明は、足場部が建造物の外壁に沿って移動できるように構成された移動式足場装置に関する。
【背景技術】
【０００２】
従来、ビルやマンションや橋梁等の建造物を構築する際には、該建造物の外壁に沿って枠組足場が構築されていた（例えば、特許文献１参照）。
【０００３】
しかしながら、このような枠組足場を建造物の全周に配置する場合には部品点数が多くなり工事も大変になってしまうという問題があった。そこで、建造物に近接するように仮設レールを配置すると共に、該仮設レールに沿って足場を移動させるようにしたものが提案されている（例えば、特許文献２乃至４参照）。
【０００４】
ここで、図５は、移動式足場装置の従来構造の一例を示す正面図であり、図中の符号１００は地盤面に敷設された仮設レールを示し、符号１０１は、該仮設レール１００に載置されて移動自在に構成された足場部を示す。また、図６は、移動式足場装置の従来構造の他の例を示す側面図であり、図中の符号１１０はレールを示し、符号１１１は、それらのレール１１０に吊り下げられて移動自在に構成された足場部を示す。いずれの足場部１０１，１１１も、乗り込んだ複数の作業者が異なる高さで作業できるように構成されていた。
【特許文献１】特開平１０−２７３９６９号公報
【特許文献２】特開２００１−２０５１５号公報
【特許文献３】特開平８−４２７９号公報
【特許文献４】特開２００２―１３１０７号公報
【発明の開示】
【発明が解決しようとする課題】
【０００５】
しかしながら、図５及び図６に示す足場部１０１，１１１は、複数の作業者が乗り込んで同時作業を行うように構成されてはいるものの、１人の作業者の都合だけで足場部を自由に移動させるようなことはできず（つまり、足場部内にて移動できる範囲についてしか作業をすることができず）、そのため、却って、作業効率が落ちてしまう場合があった。また、図５に示す仮設レール１００は地盤面に固定されており、足場部１０１は構築できる高さに限界があり、高層の建造物には向かないという問題があった。
【０００６】
本発明は、高層の建造物にも適用でき、効率良く作業できる移動式足場装置を提供することを目的とするものである。
【課題を解決するための手段】
【０００７】
請求項１に係る発明は、図１及び図２に例示するように、足場部が建造物（Ａ）の外壁（Ａ１）に沿って移動できるように構成されてなる移動式足場装置（１）において、
作業者のための第１足場部（２）及び第２足場部（３）と、
前記第１足場部（２）を移動自在に支持する第１レール部（４）と、
前記第２足場部（３）が前記第１足場部（２）よりも低い位置で該第１足場部（２）の位置とは無関係に移動できるように該第２足場部（３）を支持する第２レール部（５）と、
前記第１レール部（４）及び前記第２レール部（５）を支持すると共に、これらのレール部（４，５）が建造物（Ａ）の外壁（Ａ１）に沿って略水平に延設されるように該建造物（Ａ）に着脱自在に取り付けられる取り付け部（６）と、を備えたことを特徴とする。
【０００８】
請求項２に係る発明は、請求項１に係る発明において、前記第１足場部（２）は、該足場部（２）に乗った作業者が前記取り付け部（６）よりも高い位置に対して作業を行えるような高さに支持され、
前記第２足場部（３）は、該足場部（３）に乗った作業者が前記取り付け部（６）よりも低い位置に対して作業を行えるような高さに支持されたことを特徴とする。
【０００９】
請求項３に係る発明は、請求項２に係る発明において、前記第１足場部（２）は、該足場部（２）の少なくとも一部が、前記取り付け部（６）よりも高い位置を移動できるように支持され、
前記第２足場部（３）は、該足場部（３）の少なくとも一部が、前記取り付け部（６）よりも低い位置を移動できるように支持されたことを特徴とする。
【００１０】
請求項４に係る発明は、請求項１乃至３のいずれか１項に記載の発明において、前記第１レール部（４）を上側に支持すると共に前記第２レール部（５）を下側に支持するレール支持部（７）が、前記取り付け部（６）に固定され、
前記第１足場部（２）は、前記第１レール部（４）に載置された状態で移動自在に支持され、
前記第２足場部（３）は、前記第２レール部（５）に吊り下げられた状態で移動自在に支持されたことを特徴とする。
【００１１】
請求項５に係る発明は、請求項４に係る発明において、前記レール支持部（７）には、作業者が歩行するための足場板（７０）が、前記第１レール部（４）に沿うと共に前記レール支持部（７）と前記第１足場部（２）との間に配置されるように固定されたことを特徴とする。
【００１２】
請求項６に係る発明は、請求項４又は５に係る発明において、建造物（Ａ）に対する前記取り付け部（６）の高さを調整する高さ調整装置（図３の符号１０参照）を、該取り付け部（６）と建造物（Ａ）との間に介装した、ことを特徴とする。
【００１３】
請求項７に係る発明は、請求項４乃至６のいずれか１項に記載の発明において、前記第１レール部（図３の符号１４参照）及び前記第２レール部（図３の符号１５参照）の両方のレール部を、建造物（Ａ）の外壁に沿った状態のまま建造物（Ａ）に近付けたり建造物（Ａ）から遠ざけたりして各レール部（１４，１５）と建造物（Ａ）との間の離間距離を調整する離間距離調整装置（不図示）を、前記レール支持部（７）に取り付けた、ことを特徴とする。
【００１４】
請求項８に係る発明は、請求項７に係る発明において、前記離間距離調整装置の操作部を建造物（Ａ）に近接する位置に設けた、ことを特徴とする。
【００１５】
なお、括弧内の番号などは、図面における対応する要素を示す便宜的なものであり、従って、本記述は図面上の記載に限定拘束されるものではない。
【発明の効果】
【００１６】
請求項１及び４に係る発明によれば、前記第１足場部に乗っている作業者は、前記第２足場部の位置と関係なく該第１足場部を自由に移動させながら作業を行うことができ、前記第２足場部に乗っている作業者も同様で、前記第１足場部の位置と関係なく該第２足場部を自由に移動させながら作業を行うことができ、お互いの作業を効率良く行うことができる。また、本発明によれば、移動式足場装置は着脱自在に構成されているため、取り付ける位置を順次高くして行くことも可能であり、高層の建造物にも使用することができる。
【００１７】
請求項２及び３に係る発明によれば、第１足場部に乗った作業者は取り付け部よりも高い位置に対して作業を行い、第２足場部に乗った作業者は取り付け部よりも低い位置に対して作業を行うように構成されているので、取り付け部の取り付け位置を順次高めて行く際に、第１足場部に乗った作業者は前作業（例えば、グラウト材の充填作業）を行い、第２足場部に乗った作業者は後作業（例えば、グラウト材の仕上げ作業）を行って、それらの作業を効率的に行うことができる。
【００１８】
請求項５に係る発明によれば、作業者は、レール支持部の足場板の上も歩行することができる。
【００１９】
請求項６に係る発明によれば、高さ調整装置が建造物と接する位置に配置されているので、該高さ調整装置の操作を建造物の側ですることができ、安全である。
【００２０】
請求項７に係る発明によれば、第１レール部及び第２レール部の両方のレール部の調整を１つの離間距離調整装置によって一括で行うことができ、調整が容易である。
【００２１】
請求項８に係る発明によれば、前記離間距離調整装置の操作部が建造物に近接する位置に配置されているので、作業者が建造物の側から簡単かつ安全に操作部を操作することができる。
【発明を実施するための最良の形態】
【００２２】
以下、図１乃至図３に沿って、本発明を実施するための最良の形態について説明する。ここで、図１は、本発明に係る移動式足場装置の構造並びに使用状態の一例を示す側面図であり、図２は、その正面図である。また、図３は、本発明に係る移動式足場装置の構造の他の例を示す側面図である。
【００２３】
本発明に係る移動式足場装置は、作業者が乗るための足場部を少なくとも２つ備えている（図１及び図２の符号２，３参照）。そして、一の足場部（以下、“第１足場部”とする）２は第１レール部４により移動自在に支持されており、他の足場部（以下、“第２足場部”とする）３は、前記第１足場部２よりも低い位置を、しかも該第１足場部２と干渉することなく自由に（つまり、該第１足場部２の位置とは無関係に）移動できるように第２レール部５によって支持されている。したがって、前記第１足場部２に乗っている作業者は、前記第２足場部３の位置と関係なく該第１足場部２を自由に移動させながら作業を行うことができ、前記第２足場部３に乗っている作業者も同様で、前記第１足場部２の位置と関係なく該第２足場部３を自由に移動させながら作業を行うことができ、お互いの作業を効率良く行うことができる。
【００２４】
ところで、本発明に係る移動式足場装置１は、取り付け部６を介し、建造物Ａに着脱自在に取り付けられるように構成されている。そして、この取り付け部６は前記第１レール部４及び前記第２レール部５を支持しており、建造物Ａに取り付けられた状態ではこれらのレール部４，５が該建造物Ａの外壁Ａ１に沿って略水平に延設されるように構成されている。このように、前記第１レール部４及び前記第２レール部５が該建造物Ａの外壁Ａ１に沿って略水平に延設されているので、第１足場部２及び第２足場部３は建造物Ａの外壁Ａ１に沿って略水平に移動できることとなる。なお、移動式足場装置１は上述のように着脱自在に構成されているため、取り付ける位置を順次高くして行くことも可能であり、高層の建造物にも使用することができる。
【００２５】
この場合、前記第１足場部２は、該足場部２に乗った作業者が前記取り付け部６よりも高い位置に対して作業を行えるような高さに支持されていると良く、前記第２足場部３は、該足場部３に乗った作業者が前記取り付け部６よりも低い位置に対して作業を行えるような高さに支持されていると良い。具体的には、前記第１足場部２は、該足場部２の少なくとも一部が、前記取り付け部６よりも高い位置を移動できるように支持され、前記第２足場部３は、該足場部３の少なくとも一部が、前記取り付け部６よりも低い位置を移動できるように支持されていると良い。ここで、図１に示す第１レール部４は取り付け部６よりも高い位置に配置されていて、第１足場部２の全体（後述のように上下２段に構成された第１足場部２の全体）が取り付け部６よりも高い位置を移動するように構成されているが、もちろんこれに限られるものではなく、一部（例えば、第１足場部２の上段）のみが取り付け部６よりも高い位置を移動し、第１足場部２の下段は取り付け部６よりも低い位置を移動するようにしても良い。また、図１に示す第２足場部３は、上段が取り付け部６とほぼ同じ高さの所を移動し、下段が取り付け部６よりも低い位置を移動するように構成されているが、もちろんこれに限られるものではなく、全体（つまり、下段だけでなく上段及び下段の両方）が取り付け部６よりも低い位置を移動するようにしても良い。このように構成した場合には、取り付け部６の取り付け位置を順次高めて行くことにより、第１足場部２に乗った作業者は前作業例えば、グラウト材の充填作業）を行い、第２足場部に乗った作業者は後作業（例えば、グラウト材の仕上げ作業）を行って、それらの作業を効率的に行うことができる。
【００２６】
この場合、これらのレール部４，５がレール支持部７を介して取り付け部６に支持されるようにすると良い。図１に示すレール支持部７は、前記第１レール部４を上側に支持すると共に、前記第２レール部５を下側に支持している。そして、前記第１足場部２は、前記第１レール部４に載置された状態で移動自在に支持され、前記第２足場部３は、前記第２レール部５に吊り下げられた状態で移動自在に支持されている。
【００２７】
上述した第１足場部２及び第２足場部３には、符号２０，２１，３０，３１で示すように、作業者が歩行するための足場板を配置すると良い。なお、図１に示す例では、第１足場部２及び第２足場部３の足場板は上下２段に配置されているが、１段だけ配置しても、３段以上配置しても良い。ただ、本発明に係る移動式足場装置１は上述のように取り付け位置を順次変更するタイプであるので、その点を考慮した場合には、足場板の段数を少なくして軽量にする方が好ましい。ところで、このような足場部だけでなくレール支持部７の上面にも足場板７０を配置して、該レール支持部７の上面を作業者が歩行できるようにしても良い。該足場板７０は、前記第１レール部４に沿うと共に前記レール支持部７と前記第１足場部２との間に配置されるように、該レール支持部７に固定しておくと良い。
【００２８】
ところで、図１に示す移動式足場装置では、第１レール部４及び第２レール部５が近接する位置に配置されると共に、高い位置を移動する第１足場部２は第１レール部４に載置され、低い位置を移動する第２足場部３は第２レール部５に吊り下げられているが、請求項１に係る発明をそれらの構造に限定する趣旨では無い。第２足場部３が第１足場部２と干渉することなく該第１足場部２よりも低い位置を自由に移動できるのであれば他の構造であっても良い。例えば、第１レール部４を第１足場部２の上方に配置して該レール部４に第１足場部２を吊り下げるようにしても良く、第２レール部５を第２足場部３の下方に配置して該レール部５に第２足場部３を載置するようにしても良い。
【００２９】
一方、図３に示すように、高さ調整装置（符号１０参照）を、該取り付け部６と建造物Ａとの間に介装しておいて、建造物Ａ（例えば、建物の梁Ａ３）に対する取り付け部６の高さを調整するようにしておくと良い。この高さ調整装置１０によって取り付け部６の高さを調整し（矢印Ｖ参照）、それにより、建造物Ａに対するレール部１４，１５の高さを調整することができる。また、高さ調整装置１０は建造物Ａと接する位置に配置されているので、該高さ調整装置１０の操作を建造物の側に居て調整することができ、安全である。なお、図３中の符号１２は第１足場部を示し、符号１３は第２足場部を示し、符号１４は第１レール部を示し、符号１５は第２レール部を示す。
【００３０】
ところで、それらのレール部１４，１５には、水平方向Ｈ１，Ｈ２の位置調整をする離間距離調整装置（不図示）を連結しておいて、各レール部１４，１５と建造物Ａとの間の離間距離を調整できるようにしておくと良い。そのようにした場合、レール部１４，１５と建造物Ａとの離間距離を適正に保持することができ、移動式足場装置からの作業を安全かつ効率的に行うことができる。この離間距離調整装置はレール支持部７に取り付けておくと良く、また、第１レール部１４及び第２レール部１５を一体的に移動してそれらのレール部１４，１５の位置調整を一括して行えるようにしておくと良い。そのためには、第１レール部１４を水平方向Ｈ１に移動自在に支持するガイド部（不図示）と、第２レール部１５を水平方向Ｈ２に移動自在に支持するガイド部（不図示）とをそれぞれ配置しておき、それらのレール部１４，１５を一体的に移動できるようにしておくと良い。これにより、それらのレール部１４，１５を、建造物Ａの外壁に沿った状態のまま建造物Ａに近付けたり建造物Ａから遠ざけたりして、各レール部１４，１５と建造物Ａとの間の離間距離が調整されることとなる。なお、このような離間距離の調整を行うための離間距離調整装置の操作部は、建造物に近接する位置に設けておくと良い。レール部の離間距離調整は、作業者が足場部１２，１３に乗る前に建造物Ａの側から行う必要があるが、離間距離調整装置の操作部を建造物に近接する位置に配置した場合には、その操作を建造物の側から簡単かつ安全に行うことができる。ここで、離間距離調整装置の駆動機構としては、各レール部の側（具体的には、各レール部、或いは各レール部に固設された他の部材）に螺合されたボールネジを挙げることができ、該離間距離調整装置の操作部としては、該ボールネジを手動で回転させるレバーを挙げることができる。
【００３１】
なお、本発明に係る移動式足場装置１においては、第１足場部２，１２及び第２足場部３，１３が異なる高さを移動できるように構成されているが、それらの足場部を台車として使用し、建設資材等を搬送するようにしても良い。
【実施例１】
【００３２】
本実施例では、図１及び図２に符号１で示す移動式足場装置を、建設中の建物Ａに取り付けて使用した。なお、図中の符号Ａ２は、建設中の建物の柱を示し、符号Ａ３は梁を示す。
【００３３】
本実施例に係る移動式足場装置１は建物Ａの梁Ａ３に取り付けて使用した。その取り付けのための取り付け部６は、図１に示すように、梁Ａ３の外側面Ａ３１に沿うように配置される外側部材６０と、該梁Ａ３の上面Ａ３２に沿うように配置される上側部材６１と、該梁Ａ３の内側面Ａ３３に沿うように配置される内側部材６２とによって構成した。このうちの上側部材６１は型鋼（Ｉ型鋼）で構成し、内側部材６２は、該上側部材６１に沿って移動可能となるように該上側部材６１に嵌め込んだ。なお、この上側部材６１には、図４に符号６１ａで示すように幾つかの孔を穿設しておき、内側部材６２には２つの孔６２ａを穿設しておき、不図示の棒部材をそれらの孔６２ａに差し込むことにより内側部材６２の移動を阻止できるようにした。左側の孔６２ａにのみ棒部材を差し込めば、内側部材６２は傾動可能な状態となり、２つの孔６２ａの両方に棒部材を差し込めば、傾動不能な状態となる。また、内側部材６２からは梁Ａ３に向けてネジ部材６３を突出させておき、その締め付け力を利用して梁Ａ３に足場装置１を固定できるようにした。なお、符号６４は、外側部材６０と梁Ａとの間に配置したクッション材を示す。このような取り付け部６は同じ高さに複数配置した。本実施例では、上側部材６１としてＩ型鋼を用いたが、もちろんこれに限られるものではなく、Ｉ型以外の型鋼（具体的には、Ｃ型鋼、Ｉ型鋼、Ｈ型鋼など）や角型鋼管等を用いても良い。
【００３４】
そして、それぞれの取り付け部６から建物Ａの外側には、図４に示すように、支持部材（チャンネル鋼）７２を水平に突出させ、該支持部材７２と上側部材６１とには補強用部材７１を架け渡した。さらに、支持部材７２の上面には上側レール部（第１レール部）４を配置した。この上側レール部４は、凹部４０ａ，４１ａを有する２本のレール部材４０，４１にて構成し、これら２本のレール部材４０，４１は、所定距離離間した状態で凹部４０ａ，４１ａが互いに対向すると共に、建物Ａの外壁Ａ１に平行となるように配置した。また、この上側レール部４には上側足場部（第１足場部）２を移動自在となるように載置した。具体的には、各レール部材４０，４１の凹部４０ａ，４１ａには、シャフト２２に支持された車輪２３，２４を転動自在となるように２つずつ配置し（図４には、１つずつのみ示す）、複数のシャフト２２には、水平フレーム２５及び垂直フレーム２６からなる枠体２７を４ｍ程度の高さとなるように組み立てた。この枠体２７の底部には、作業者が歩行するための足場板２０を配置し、２ｍ程度の高さにも別の足場板２１を配置して２段に形成した。なお、支持部材７２の上にも足場板７０を架け渡しておいて、作業者が歩行できるようにした。
【００３５】
また、支持部材７２の下面には、２本のＩ型のレール部材５０，５１を、所定距離離間した状態で建物Ａの外壁Ａ１に平行となるように配置して下側レール部（第２レール部）５を構成した。この下側レール部５には、下側足場部（第２足場部）３を移動自在となるように吊り下げた。具体的には、各レール部材５０，５１には、図示のように車輪３２を転動自在に複数配置し、該車輪３２のシャフト３３には水平フレーム３４及び垂直フレーム３５からなる４ｍ程度の高さの枠体３６を吊り下げた。そして、この枠体３６の底部には、作業者が歩行するための足場板３０を配置し、２ｍ程度の高さにも別の足場板３１を配置して２段に形成した。
【００３６】
以下、移動式足場装置１の使用方法の一例を説明する。
【００３７】
建物Ａを構築する場合、下層から順に柱Ａ２や梁Ａ３を敷設して行く。今、図２に示す状態では、符号ｎが付された梁Ａ３に足場装置１が取り付けられ、該梁Ａ３よりも下層の柱Ａ２や梁Ａ３に対してのグラウト材充填作業は既に終了しており、該充填されたグラウト材は固まっている。また、符号ｎが付された梁Ａ３よりも上層の柱Ａ２や梁Ａ３に対してのグラウト材充填作業はまだ行われていない。
【００３８】
本実施例によれば、上側足場部２は上層側の柱Ａ２や梁Ａ３に対向するように配置されているので、該足場部２に乗った作業者はそれらの柱Ａ２や梁Ａ３に対してグラウト材充填等の作業を行うことができる。また、下側足場部３は下層側の柱Ａ２や梁Ａ３に対向するように配置されているので、該足場部３に乗った作業者は既に充填されているグラウト材の目地仕上げ作業等を行うことができる。このとき、上側の足場部２に乗っている作業者は足場部２を自由に移動させながら作業を行うことができ、下側の足場部３に乗っている作業者は足場部３を自由に移動させながら作業を行うことができる。
【００３９】
そして、所定の作業が終了すると、ネジ部材６３を緩めて足場装置１を取り外し、上層側の梁Ａ３に取り付け、同様の作業を繰り返す。
【図面の簡単な説明】
【００４０】
【図１】図１は、本発明に係る移動式足場装置の構造並びに使用状態の一例を示す側面図である。
【図２】図２は、図１の正面図である。
【図３】図３は、本発明に係る移動式足場装置の構造の他の例を示す側面図である。
【図４】図４は、図１のレール部を拡大した拡大側面図である。
【図５】図５は、移動式足場装置の従来構造の一例を示す正面図である。
【図６】図６は、移動式足場装置の従来構造の他の例を示す側面図である。
【符号の説明】
【００４１】
１            移動式足場装置
２            第１足場部（上側足場部）
３            第２足場部（下側足場部）
４            第１レール部（上側レール部）
５            第２レール部（下側レール部）
６            取り付け部
７            レール支持部
２０          足場板
２１          足場板
３０          足場板
３１          足場板
７０          足場板
Ａ            建造物（建物）
Ａ１            外壁
【図１】
2007056478.tif 000003
【図２】
2007056478.tif 000004
【図３】
2007056478.tif 000005
【図４】
2007056478.tif 000006
【図５】
2007056478.tif 000007
【図６】
2007056478.tif 000008